(57)【要約】【課題】風発生装置の充電作業に手間がかからない冷却衣服を提供する。【解決手段】冷却衣服１は、コード１０を介してバッテリ９と接続される風発生装置６が取り付けられる取付孔７が設けられたものであり、バッテリ９が収容される胸部ポケット５を備え、服地の内側と胸部ポケット５の内側とを連通する切込部１３が設けられている構成をとる。【選択図】図１
0003217144.tif 000002
【実用新案登録請求の範囲】
【請求項１】
コードを介してバッテリと接続される風発生手段が取り付けられる取付孔が、設けられた冷却衣服であって、
前記バッテリが収容される収容部を備え、
服地の内側と前記収容部の内側とを連通するコード通し部が設けられている、
ことを特徴とする冷却衣服。
【請求項２】
前記収容部が前記服地の前面に設けられ、前記服地の内側かつ側部にコード保持部が設けられている、
ことを特徴とする請求項１に記載の冷却衣服。
【請求項３】
前記コード通し部は、前記収容部の上側に設けられ、かつ、着丈方向に沿って縦長に形成されている、
ことを特徴とする請求項１又は請求項２に記載の冷却衣服。
【請求項４】
前記取付孔は、腰部分に設けられ、
前記風発生手段は、前記取付孔を介して、前記服地に直接取り付けられる、
ことを特徴とする請求項１から請求項３の何れか１項に記載の冷却衣服。
【考案の詳細な説明】
【技術分野】
【０００１】
本考案は、風発生装置の充電が容易にできる冷却衣服に関するものである。
【背景技術】
【０００２】
鉄工所や夏の屋外の工事現場のような、高温環境下で作業する場合、体温の上昇を抑制することが必要となる。
しかし、このような環境下では、安全性や機能性の面から、生地が厚い衣服が着用されている。高温環境下で長時間の作業を行う場合、体外に熱を充分に放出することができないため、過度の体温上昇を引き起こして熱中症に陥るおそれがある。
【０００３】
このような高温環境下で作業する時に着用する衣服として、ファンを備える風発生装置を備える冷却衣服が使用されている（特許文献１から特許文献３）。この風発生装置は、冷却衣服の外側から空気を取り込み、その空気を内側に冷却風として送出する。送出された冷却風は、冷却衣服と下着との間を流れ、襟元や裾口から外側に排出される。
このように、冷却風が冷却衣服と下着との間を流れることによって、着用者の身体を冷却し、過度な体温上昇を防止する。
【先行技術文献】
【特許文献】
【０００４】
【特許文献１】特許第５９５８９２３号公報
【特許文献２】特許第６０７８９３７号公報
【特許文献３】特許第６２３３６７４号公報
【考案の概要】
【考案が解決しようとする課題】
【０００５】
風発生装置は、空気取込口及び空気排出口、冷却衣服の外部の空気を取込み、冷却衣服の内部に空気を排出する軸流ファン、軸流ファンを駆動させるモータとを備えている。
この風発生装置には、充電式のものが使用され、充電量がなくなった場合や充電量が少なくなった場合、風発生装置はバッテリと接続され充電される。
充電は、風発生装置を取付孔から一旦取り外し、コードを介してバッテリと接続することで行ったり、あるいは、冷却衣服を一旦脱いで、コードを介してバッテリと接続することで行っている。
風発生装置を一旦取り外して充電を行う場合、取り外し作業に手間がかかり、一方、冷却衣服を一旦脱いで充電を行う場合、着用者は作業を一旦停止しなければいけない。
そのため、着用者の作業効率が低下するという問題があった。
【０００６】
そこで、本考案は、風発生装置の充電作業に手間がかからず、着用者の作業効率の低下を防止できる冷却衣服を提供することを目的とする。
【課題を解決するための手段】
【０００７】
本考案の冷却衣服は、コードを介してバッテリと接続される風発生手段が取り付けられる取付孔が、設けられた冷却衣服であって、バッテリが収容される収容部を備え、服地の内側と収容部の内側とを連通するコード通し部が設けられていることを特徴とする。
【０００８】
本考案の冷却衣服は、収容部が服地の前面に設けられ、服地の内側かつ側部にコード保持部が設けられていることを特徴とする。
【０００９】
本考案の冷却衣服は、コード通し部が収容部の上側に設けられ、かつ、着丈方向に沿って縦長に形成されていることを特徴とする。
【００１０】
本考案の冷却衣服は、取付孔が腰部分に設けられ、風発生手段が取付孔を介して、服地に直接取り付けられることを特徴とする。
【考案の効果】
【００１１】
本考案の冷却衣服は、服地に設けられた収容部に、服地部の内部と連通するコード通し部が設けられているため、そのコード通し部を介して、風発生装置とバッテリとをコードで接続できる。そうすると、風発生装置の充電量がなくなった場合や、充電量が少なくなった場合、収容部にバッテリを収容し、コードと接続することで直ぐに充電できる。
したがって、一旦、冷却衣服から風発生装置を取り外し、充電する必要がなくなり、風発生装置の充電の手間が省ける。
【００１２】
また、本考案の冷却衣服の着用者は、収容部にバッテリを収容し、充電をしながら作業を行うこともできる。そうすると、風発生装置の充電のために作業を一旦停止する必要がなくなり、着用者の作業効率が向上する。
【００１３】
本考案の冷却衣服は、収容部が服地の前面に設けられていることが好ましい。前面に収容部が設けられていることで、バッテリの交換（出し入れ）を容易にできる。
【００１４】
本考案の冷却衣服は、服地の内側にコード保持部が設けられていることが好ましい。コード保持部により、コードを保持（固定）することで、冷却衣服の内側でコードがごわつくことを防止できることに加え、冷却風の風圧によってコードが靡くことを防止できる。コードがごわつくことやコードが冷却風によって靡くことを防止することで、着用者に生じる違和感を低減できる。なお、このコード保持部は、側部に形成されていることが好ましい。
【図面の簡単な説明】
【００１５】
【図１】本考案の実施形態に係る冷却衣服の正面図である。
【図２】本考案の実施形態に係る冷却衣服の背面図である。
【図３】本考案の実施形態の他の例に係る冷却衣服の正面図である。
【図４】本考案の実施形態の他の例に係る冷却衣服の背面図である。
【考案を実施するための形態】
【００１６】
本実施形態に係る冷却衣服は、例えば、夏場の屋外や温度が高い屋内で着用される。
以下、本実施形態に係る冷却衣服を、図１から図４を参照し、説明する。
なお、図面上、袖口幅方向を左右方向Ｘ、着丈方向を上下方向Ｙとする。
【００１７】
本実施形態に係る冷却衣服１は、前身頃２（服地）と後身頃３（服地）とが縫合され、左右側部に繋ぎ目４が形成されている。
冷却衣服１の前面の胸部には、図１に示すように、収容部としての胸部ポケット５が、左右両側に１つずつ形成されている。この胸部ポケット５は、冷却衣服１の左右方向Ｘにおける寸法幅を２等分する中心線Ｌの両側に設けられている。胸部ポケット５には、バッテリ９が挿入される。このバッテリ９には、コード１０が接続されるバッテリ側コード接続部９Ａが設けられている。
【００１８】
冷却衣服１の背面の腰部には、図２に示すように、取付孔７が形成されている。この取付孔７は、中心線Ｌを中心軸として、左右方向Ｘの両側に一つずつ形成されている。風発生手段としての風発生装置６は、この取付孔７に装着される。そのため、冷却衣服１において、風発生装置６は、腰部に２つ装着される。
なお、図１及び図２において、説明の便宜上、片側だけに風発生装置６等が取り付けられた冷却衣服１を示しているが、風発生装置６等は両側に設けられている。
【００１９】
［風発生装置６］
風発生装置６は、外側から空気を取り込むための空気取込口６Ａと、内側に空気を排出するための空気排出口（図示しない）と、冷却衣服１の外側の空気を取り込み、冷却衣服１の内側に空気を排出する軸流ファン（図示しない）と、この軸流ファンを駆動させ、使用者の身体側で軸流ファンを支持するモータ（図示しない）とを備えている。この風発生装置６は充電式であり、風発生装置６にはコード１０が接続される風発生装置側コード接続部６Ｂが形成されている。
風発生装置６は、空気取込口６Ａが冷却衣服１の外側に配置され、空気排出口及び風発生装置側コード接続部６Ｂが冷却衣服１の内側に配置されるように取付孔７に装着される。この際、空気取込口６Ａが取付孔７に対して斜め下向きに装着される。また、装着された際、風発生装置側コード接続部６Ｂは、左側の繋ぎ目４に向けて斜め下向きとなる。
【００２０】
［胸部ポケット５］
胸部ポケット５は、前身頃２（服地）と、この服地の前面に縫合されたポケット地１１と、服地とポケット地１１とが縫合されることで形成される開口部を覆うフラップ地１２とから構成されている。このポケット地１１及びフラップ地１２は、冷却衣服１の服地と同じ素材で構成されている。
胸部ポケット５を構成する服地には、胸部ポケット５の内側と、冷却衣服１の内側とを連通するコード通し部としての切込部１３が１つ形成されている。
切込部１３は、高さ方向Ｙにおいて、胸部ポケット５を構成する服地の上側、かつ左右方向Ｘにおいて、左側の繋ぎ目４側に形成されている。この切込部１３は、高さ方向Ｙに沿って縦長に形成されている。
【００２１】
［面ファスナ８］
面ファスナ８は、前身頃２と後身頃３と共に縫い付けられ、冷却衣服１の内側の両側部に設けられている。この面ファスナ８は、高さ方向Ｙにおいて、切込部１３と風発生装置側コード接続部６Ｂとのほぼ中間の位置に１つ設けられている。
面ファスナ８は、冷却衣服１の内側に配置されたコード１０を固定し、留め部として使用される。なお、面ファスナ８の個数は、１つに限定されず、複数設けることもできる。
【００２２】
次に、本実施形態に係る冷却衣服１の作用効果について説明する。
【００２３】
本実施形態に係る冷却衣服１では、冷却衣服１の内側と胸部ポケット５の内部を連通する切込部１３を設けることにより、風発生装置側コード接続部６Ｂに接続されるコード１０は切込部１３を通して、冷却衣服１の内側から胸部ポケット５の内部に引き出すことができる。そのため、風発生装置６の充電量が少なくなった場合や、充電量がなくなった場合、胸部ポケット５にバッテリ９を挿入し、コード１０をバッテリ側コード接続部９Ａに接続し、充電する。そうすると、風発生装置６を取付孔７から取り外すことなく、風発生装置６を充電できる。
したがって、充電の際、風発生装置６を取付孔７から取り外す作業を省略できるため、風発生装置６の充電の手間を省くことができる。
【００２４】
また、胸部ポケット５に挿入されたバッテリ９と風発生装置６をコード１０で接続し、風発生装置１０の充電を行いながら、冷却衣服１の内側に冷却風を送出することもできる。そのため、充電を行うために風発生装置６を一旦停止させる必要がなく、着用者の作業効率が低下することを防止できる。
【００２５】
切込部１３は、コード１０が通されていない場合、切込部１３の端部同士は接触し、すなわち閉口状態である。切込部１３にコード１０を通す場合、切込部１３を開口状態とし、バッテリ側コード接続部９Ａを通し、コード１０を通す。そうすると、コード１０は、切込部１３の端部から押圧力を受け、バッテリ側コード接続部９Ａは切込部１３から抜けづらくなる。
したがって、切込部１３を介して、コード１０を胸部ポケット部５に通すことによって、バッテリ側コード接続部９Ａを胸部ポケット５の内部に保持することができる。
【００２６】
本実施形態に係る冷却衣服１では、コード１０を左右両側に設けられた面ファスナ８で固定する。そうすると、コード１０に冷却風が衝突しても、冷却衣服１の内側でコード１０がごわつくことを防止できる。
また、冷却衣服１の内側では、風発生装置６から送出された冷却風が襟元部分や袖口部分から外側に排出される際、コード１０に衝突する。面ファスナ８でコード１０を固定することによって、冷却風の風圧によって靡くことを防止できる。
このように、冷却衣服１の内側でコード１０のごわつき等が防止されると、着用者に生じる違和感を低減できることに加え、冷却風に対する抵抗が小さくなるため、冷却風を効率よく外側に排出できる。
【００２７】
また、面ファスナ８は、繋ぎ目４に設けられているため、コード１０は冷却衣服１の内側の両側部に沿って配置される。そうすると、コード１０が腰部分や背中部分、腹部分に沿って配置されるよりも、着用者に違和感を生じさせない。そのため、着用者は、快適に作業することができる。
【００２８】
さらに、本実施形態に係る冷却衣服１は、胸部ポケット５が前面に設けられているため、バッテリの交換（出し入れ）を容易にできる。
【００２９】
次に、本実施形態の他の例について、説明する。
本実施形態の他の例に係る冷却衣服１は、図３に示すように、収容部を腹部ポケット２０とする。
【００３０】
腹部ポケット２０は、前面の腹部分に２つ設けられている。この腹部ポケット２０は、中心線Ｌを境に左右両側に設けられている。各腹部ポケット２０は、ファスナ２１が設けられている。バッテリ９は、この腹部ポケット２０に収容される。
【００３１】
腹部ポケット２０を構成する服地には、腹部ポケット２０と冷却衣服１の内側とを連通するコード通し部としての切込部２２が設けられている。この切込部２２は、腹部ポケット２０を構成する服地の上側に、高さ方向Ｙに沿って縦長に形成されている。
なお、腹部ポケット２０と上述した胸部ポケット５を両方設けてもよい。
【００３２】
本実施形態に係る冷却衣服１では、図４に示すように、冷却衣服１の内側と服部ポケット２０の内部を連通する切込部２２を設けることで、風発生装置側コード接続部６Ｂに接続されたコード１０は切込部２２を通して、冷却衣服１の内側から服部ポケット２０の内部に引き出すことができる。
腹部ポケット２０は、胸部ポケット５よりも風発生装置６から近い位置にある。そのため、風発生装置６とバッテリ９の接続に使用するコード１０は短くてよい。短いコード１０を使用することで、コード１０のごわつきや冷却風によりコード１０が靡くことで着用者へ生じる違和感は小さくなる。
なお、図３及び図４において、説明の便宜上、片側だけに風発生装置６等が取り付けられた冷却衣服１を示しているが、風発生装置６等は両側に設けられている。
【００３３】
以上、本実施形態について説明したが、これ以外にも、本考案の主旨を逸脱しない限り、上記実施の形態で挙げた構成を取捨選択したり、他の構成に適宜変更することが可能である。
例えば、本実施形態では、風発生装置６が腰部に装着された冷却衣服１について説明したが、風発生装置を装着する位置は腰部分に限定されず、例えば、背中部分に設けることもできる。また、本実施形態において、風発生装置６は、取付孔７に対して斜め下向きとなるように装着された例を示したが、風発生装置６の装着状態はこれに限定されない。
【００３４】
コード通し部は、切込部１３以外にも、円形状、多角形状の貫通孔としてもよい。このコード通し部は、冷却衣服の内側と収容部の内側を連通できれば、設ける位置は限定されない。例えば、横長のバッテリを収容する場合、切込部１３は、胸部ポケット５の内部の下側に設ける。
さらに、コード保持部は、面ファスナ８に限定されず、タグ状の部材を使用することもでき、そのタグ状の部材の内部にコード１０を通すことで、コード１０で固定（誘導）できる。このコード保持部は、コード１０が冷却衣服１の内側でごわつくことや、冷却風によって靡くことが回避できれば、設ける位置や個数は限定されない。
【符号の説明】
【００３５】
１      冷却衣服
２      前身頃
３      後身頃
４      繋ぎ目
５      胸部ポケット（収容部）
６      風発生装置（風発生手段）
６Ａ    空気取込口
６Ｂ    風発生装置側コード接続部
７      取付孔
８      面ファスナ（コード保持部）
９      バッテリ
９Ａ    バッテリ側コード接続部
１０    コード
１１    ポケット地
１２    フラップ地
１３    切込部（コード通し部）
２０    腹部ポケット（収容部）
２１    ファスナ
２２    切込部（コード通し部）
Ｌ      中心線
Ｘ      左右方向（袖口幅方向）
Ｙ      高さ方向（着丈方向）
【図１】
0003217144.tif 000003
【図２】
0003217144.tif 000004
【図３】
0003217144.tif 000005
【図４】
0003217144.tif 000006